(57)【要約】【課題】リムに対するレンズの着脱が容易に行え且つ使用中にレンズがリムから容易に外れることのないメガネを提供する。【解決手段】フレーム２と該フレーム２に装着される左右一対のレンズ３とから構成され、フレーム２は左右のレンズ３が嵌め込まれる左右一対のリム４と、各リム４に対して展開・折畳み自在な左右一対のテンプル８とを有し、各レンズ３を各リム４の左右方向外方Ｙ側から内方Ｘ側に向けて移動させることにより該レンズ３をリム４に嵌め込み可能としたメガネにおいて、テンプル８を展開した状態でレンズ３の左右方向外方Ｙ側への移動を規制するようにレンズ３の左右方向外端側に係合する係合部４０を有し且つテンプル８を展開状態から折畳み方向に揺動させることによりレンズ３に対する前記係合部４０の係合を解除可能としたロック手段３６を設ける。【選択図】図７
2013097219.tif 000002
【特許請求の範囲】
【請求項１】
フレーム（２）と該フレーム（２）に装着される左右一対のレンズ（３）とから構成され、前記フレーム（２）は左右のレンズ（３）が嵌め込まれる左右一対のリム（４）と、各リム（４）に対して展開・折畳み自在な左右一対のテンプル（８）とを有し、各レンズ（３）を各リム（４）の左右方向外方（Ｙ）側から内方（Ｘ）側に向けて移動させることにより該レンズ（３）をリム（４）に嵌め込み可能としたメガネにおいて、
前記テンプル（８）を展開した状態でレンズ（３）の左右方向外方（Ｙ）側への移動を規制するようにレンズ（３）の左右方向外端側に係合する係合部（４０）を有し且つテンプル（８）を展開状態から折畳み方向に揺動させることによりレンズ（３）に対する前記係合部（４０）の係合を解除可能としたロック手段（３６）を設けたことを特徴とするメガネ。
【請求項２】
前記ロック手段（３６）は、前記係合部（４０）を有するロックパーツ（６）と、前記テンプル（８）に設けられた揺動規制部（３５）とから構成され、
前記ロックパーツ（６）は、リム（４）に対して揺動させることにより、係合部（４０）がレンズ（３）の左右方向外端側に係合する規制位置と、係合部（４０）がレンズ（３）から離れて該レンズ（３）の左右方向外方（Ｙ）側への移動を許容する退避位置とに位置変更自在とされ、
前記揺動規制部（３５）は、ロックパーツ（６）を規制位置にした状態でテンプル（８）を展開状態にするとロックパーツ（６）に接当して該ロックパーツ（６）の退避位置への揺動を阻止し且つテンプル（８）を折畳み方向に揺動させることによりロックパーツ（６）から離反して該ロックパーツ（６）の退避位置への揺動を許容することを特徴とする請求項１に記載のメガネ。
【請求項３】
前記ロックパーツ（６）をフレーム（２）のヨロイ部（７）に揺動自在に枢支すると共に該ヨロイ部（７）に係止部（１８）を設け、
前記ロックパーツ（６）に、該ロックパーツ（６）の規制位置における揺動が規制されるように前記係止部（１８）に係止され且つ該規制位置からロックパーツ（６）を強制的に揺動させることにより前記係止部（１８）から外れる被係止部（３９）を設けたことを特徴とする請求項２に記載のメガネ。
【請求項４】
フレーム（２）のヨロイ部（７）にテンプル（８）とロックパーツ（６）とを同心状に枢支したことを特徴とする請求項２又は３に記載のメガネ。
【発明の詳細な説明】
【技術分野】
【０００１】
本発明は、レンズ交換可能なメガネに関するものであり、例えば、自転車用として使用されるスポーツ用サングラスに採用されるメガネに関するものである。
【背景技術】
【０００２】
レンズ交換可能なメガネとして特許文献１に記載のサングラスがある。
このサングラスは、フレームと、このフレームに装着される左右一対のレンズとから構成されている。
前記フレームは、左右のレンズが嵌め込まれる左右一対のリムと、左右各リムの左右方向外端側に設けられた左右のヨロイ部と、左右の各ヨロイ部に展開・折畳み自在に枢支連結された左右のテンプルとを有する。
【０００３】
各リムは、上枠部と、下枠部と、これら上下枠部の左右方向内端側同士を連結する内側枠部とから構成されていて、上下枠部の左右方向外端側同士は連結されておらず、リムの左右方向外端側は左右方向外方側に開放状とされている。
このサングラスにあっては、レンズをリムの左右方向外方側から内方側に向けてスライドさせることにより、該レンズがリムの上下枠部間に挿入されてリムの溝に嵌め込まれる。また、レンズがリムに嵌め込まれた状態から該レンズを左右方向外方側にスライドさせることによりレンズがリムから取り外せる。
【０００４】
また、このサングラスにあっては、レンズの下縁に凹みが形成され、この凹みはレンズをリムに装着した状態で、リムの溝に形成された突起に嵌合し、これによって、レンズがリムに装着された状態で左右方向外方側に移動するのを抑制している。
【先行技術文献】
【特許文献】
【０００５】
【特許文献１】特許第４７９８３２１号公報
【発明の概要】
【発明が解決しようとする課題】
【０００６】
前記従来のように、リムに外側方からレンズを挿脱自在に挿入可能としてレンズを交換可能としたサングラスにあっては、レンズをリムに装着した状態で該レンズをガタツキなく保持するための保持力がリムに必要であることから、リムに弾性力をもたせ、レンズをリムに嵌め込むときに、レンズがリムを弾性変形させながら該上下枠部間に挿入されるように構成される。
【０００７】
また、従来のサングラスにあっては、リムの溝に突起が形成されていることから、該突起にレンズに設けた凹みが嵌るまでは、該突起にレンズの下縁が係合する。したがって、リムの弾性力を強くしてレンズの保持力を大きくすると、突起が抵抗となり、リムに対するレンズの挿脱がし難くなり、レンズの着脱時に該レンズに傷をつけてしまったりするという問題が生じる。この問題を解決するためにリムの弾性力を弱くすると、使用中（例えば、自転車走行中）にレンズが外れる惧れが高くなる。
【０００８】
そこで、本発明は、前記問題点に鑑み、リムに対するレンズの着脱が容易に行え且つ使用中にレンズがリムから容易に外れることのないメガネを提供することを課題とする。
【課題を解決するための手段】
【０００９】
前記技術的課題を解決するために本発明が講じた技術的手段は、以下に示す点を特徴とする。
請求項１に係る発明では、フレームと該フレームに装着される左右一対のレンズとから構成され、前記フレームは左右のレンズが嵌め込まれる左右一対のリムと、各リムに対して展開・折畳み自在な左右一対のテンプルとを有し、各レンズを各リムの左右方向外方側から内方側に向けて移動させることにより該レンズをリムに嵌め込み可能としたメガネにおいて、
前記テンプルを展開した状態でレンズの左右方向外方側への移動を規制するようにレンズの左右方向外端側に係合する係合部を有し且つテンプルを展開状態から折畳み方向に揺動させることによりレンズに対する前記係合部の係合を解除可能としたロック手段を設けたことを特徴とする。
【００１０】
請求項２に係る発明では、前記ロック手段は、前記係合部を有するロックパーツと、前記テンプルに設けられた揺動規制部とから構成され、
前記ロックパーツは、リムに対して揺動させることにより、係合部がレンズの左右方向外端側に係合する規制位置と、係合部がレンズから離れて該レンズの左右方向外方側への移動を許容する退避位置とに位置変更自在とされ、
前記揺動規制部は、ロックパーツを規制位置にした状態でテンプルを展開状態にするとロックパーツに接当して該ロックパーツの退避位置への揺動を阻止し且つテンプルを折畳み方向に揺動させることによりロックパーツから離反して該ロックパーツの退避位置への揺動を許容することを特徴とする。
【００１１】
請求項３に係る発明では、前記ロックパーツをフレームのヨロイ部に揺動自在に枢支すると共に該ヨロイ部に係止部を設け、
前記ロックパーツに、該ロックパーツの規制位置における揺動が規制されるように前記係止部に係止され且つ該規制位置からロックパーツを強制的に揺動させることにより前記係止部から外れる被係止部を設けたことを特徴とする。
【００１２】
請求項４に係る発明では、フレームのヨロイ部にテンプルとロックパーツとを同心状に枢支したことを特徴とする。
【発明の効果】
【００１３】
本発明によれば、リムに対するレンズの外れ防止を、レンズの左右方向外端側に係合する係合部によって行うので、リムのレンズ保持力を強くする必要がなく、リムに対するレンズの挿脱を容易にすることができる。
また、係合部はテンプルの展開状態でレンズに係合し且つ該テンプルを展開状態から折畳み方向に揺動させないとレンズに対する係合部の係合が解除されないと共にメガネをかけた状態ではテンプルが展開状態から折畳み方向に揺動することがないので、リムに対するレンズの挿脱を容易にすることができるものであっても、使用中はレンズがリムから容易に外れることがない。
【図面の簡単な説明】
【００１４】
【図１】サングラスを背面側からみた斜視図である。
【図２】サングラスの平面図である。
【図３】サングラスの正面図である。
【図４】サングラスの左側の平面分解図である。
【図５】サングラスの側面図である。
【図６】サングラスのテンプルのヒンジ部分を背面側からみた斜視図である。
【図７】本発明の要部の平面一部断面図である。
【図８】レンズのロック解除動作を示す平面一部断面図である。
【図９】リムの斜視図である。
【図１０】ロックパーツの斜視図である。
【図１１】テンプル本体の斜視図である。
【図１２】補助パーツの斜視図である。
【発明を実施するための形態】
【００１５】
以下、本発明の実施の形態を図面を参照して説明する。
図１〜３において、符号１は本発明のメガネとして例示するスポーツ用サングラス（スポーツ用メガネ）を示しており、例えば、自転車用として使用される。
このサングラス１は、フレーム２と、このフレーム２に装着された左右一対のレンズ３とから主構成されている。
【００１６】
以下の説明において、左右方向内方とはフレーム２の左右方向の端部から左右方向中央に向かう方向（図３に矢視Ｘで示す方向）をいい、左右方向外方とはフレーム２の左右方向中央から左右方向端部に向かう方向（図３に矢視Ｙで示す方向）をいう。
フレーム２は、レンズ３が着脱自在に嵌め込まれた左右一対のリム４と、この左右のリム４を連結するブリッジ５と、レンズ３の左右方向外方Ｙ側に係合して各リム４からレンズ３が外れるのを防止する左右のロックパーツ６と、左右各リム４の左右方向外端側に設けられた左右のヨロイ部７と、左右各ヨロイ部７から後方に延びる左右のテンプル８と、左右各リム４の左右方向内端側の背面側に設けられた左右のノーズパッド９とから主構成されている。
【００１７】
前記リム４は、上枠部１１と、下枠部１２と、これら上下枠部１２の左右方向内端側同士を連結する内側枠部１３とから構成されていて、上下枠部１２の左右方向外端側同士は連結されておらず、該リム４の左右方向外端側は開放状とされている。
左右のリム４は、ブリッジ５と共に樹脂で一体形成されており、弾性を有する。
このリム４には、図９に示すように、上枠部１１の下面側から内側枠部１３の左右方向外方側の面を経て下枠部１２の上面側にわたってレンズ３を嵌め込むためのレンズ溝１４が連続状に形成されている。このレンズ溝１４の左右方向外端側（上下枠部１２に形成された部分の左右方向外端側）は左右方向外方Ｙ側に向けて開放状とされている。
【００１８】
前記レンズ３はリム４の左右方向外方Ｙ側から内方Ｘ側に向けて移動させて（スライドさせて）レンズ溝１４に差し込むことによりリム４に嵌め込まれる。また、レンズ３がリム４に嵌め込まれた状態から該レンズ３を左右方向外方Ｙ側に移動させてレンズ溝１４から引き出すことにより該レンズ３がリム４から取り外せる。これによって、レンズ３の交換が可能とされている。
【００１９】
レンズ３は、リム４に嵌め込まれた状態で、その左右方向外端側がリム４から左右方向外方Ｙ側に突出状とされている。
前記ヨロイ部７は、図９にも示すように、リム４の左右方向外端側から後方側に向けて延びる上下の支持ブラケット１５と、この上下支持ブラケット１５を連結する縦連結部１６とから構成されている。このヨロイ部７はリム４と樹脂によって一体形成されている。
【００２０】
上支持ブラケット１５は、リム４の上枠部１１の左右方向外端側から左右方向外方Ｙに向かうに従って後方に移行する傾斜方向に延びる。下支持ブラケット１５は、リム４の下枠部１２の左右方向外端側から左右方向外方Ｙに向かうに従って後方に移行する傾斜方向に延びる。
また、上下の支持ブラケット１５の間隔は後方側に向かうに従って漸次幅狭となるように形成されている。
【００２１】
縦連結部１６は、上下の支持ブラケット１５を後部側において連結している。
上下の支持ブラケット１５の後端側は縦連結部１６より後方側に突出しており、この上下支持ブラケット１５の縦連結部１６より後方側に突出する部分がテンプル８及びロックパーツ６を上下方向の軸心回りに揺動自在に枢支する枢支部１７とされている。
前記縦連結部１６には、ロックパーツ６を係止する係止部１８が設けられている。この係止部１８は、縦連結部１６の左右方向外端側で且つ後部側に上下方向にわたって形成されている。
【００２２】
テンプル８は、図２、図４に示すように、前部がヨロイ部７の枢支部１７に枢支連結されたテンプル本体１９と、このテンプル本体１９の後端側に接続されたテンプルエンド２０と、テンプル本体１９に取付固定された補助パーツ２１とから構成されている。これらテンプル８の構成部品は樹脂によって形成されている。
このテンプル８は、図１、図２等に示すように、ヨロイ部８の後端側から後方側に延出された状態が展開状態であり、この展開状態から左右方向内方側に揺動させることにより折り畳み可能である。
【００２３】
図１１に示すように、テンプル本体１９の前面側にはヨロイ部７の枢支部１７に枢支連結される上下一対の被枢支部２２が前方突出状に設けられている。この上下の被枢支部２２は上下方向の間隔をおいて形成され、それぞれに挿通孔２３が上下方向貫通状に形成されている。
また、テンプル本体１９の前面の、上側の被枢支部２２の上方側及び下側の被枢支部２２の下方側はヨロイ部７の上下支持ブラケット１５の後面１５ａに接当する展開規制部２４とされている。
【００２４】
テンプル本体１９の前部の左右方向外側面には嵌合突部２５が形成され、図７、図８に示すように、この嵌合突部２５の左右方向外側面からテンプル本体１９の前部の左右方向内側面にかけて挿通孔２６が左右方向貫通状に形成されている。この挿通孔２６の左右方向内方Ｘ側は外方Ｙ側に比べて径大に形成されている。
前記上下被枢支部２２の左右方向外側面はロックパーツ６に対する第１の当り面２７とされている。また、テンプル本体１９の前部の左右方向外側面で且つ嵌合突部２５と被枢支部２２との間の面は、前記第１の当り面２７と面一状の平坦面に形成されていてロックパーツ６に対する第２の当り面２８とされている。また、前記嵌合突部２５の前面はロックパーツ６に対する第３の当り面２９とされている。
【００２５】
テンプル本体１９の前後方向中途部には前後方向に長い開口４２が形成されている。
テンプル本体１９の後部には、接続部３１が後方突出状に設けられ、この接続部３１にテンプルエンド２０が後方から外嵌されて抜け止めされている。このテンプルエンド２０はテンプル本体１９から後方に延出状とされている。
補助パーツ２１は、図１２に示すように、前後方向に長く形成されていてテンプル本体１９に沿って設けられている。
【００２６】
この補助パーツ２１の前部はテンプル本体１９の前部の左右方向外方Ｙ側に位置していると共に該前部の左右方向内方Ｘ側には、テンプル本体１９の嵌合突部２５に嵌合する嵌合凹部３２が形成されている。この嵌合凹部３２には嵌合突部２５に形成された挿通孔２６に挿入される筒部３３が形成されている。この筒部３３内はネジ孔とされていて、前記挿通孔２６に左右方向内方Ｘ側から挿入されて筒部３３にねじ込まれるネジ３４によって補助パーツ２１がテンプル本体１９に取付固定されている（図７参照）。
【００２７】
なお、この補助パーツ２１はテンプル本体１９に対して嵌合固定又は接着固定されていてもよい。また、補助パーツ２１はテンプル本体１９と別体で形成される必要はなく、テンプル本体１９と一体形成（テンプル本体１９の一部分として形成）してもよい。
この補助パーツ２１の中途部から後部側にかけてはテンプル本体１９の開口４２に沿うように設けられている。
【００２８】
また、図７に示すように、補助パーツ２１の前面はロックパーツ６に対する第４の当り面３０とされている。本実施形態では、この第４の当り面３０及びテンプル本体１９の前記第１〜３の当り面２７，２８，２９によって、ロックパーツ６がレンズ３に係合し且つテンプル９を展開した状態でロックパーツ６の左右方向外方Ｙ側への揺動（ロックパーツ６のレンズ３から離反する方向への揺動）を規制する揺動規制部３５が構成されている。
【００２９】
そして、この揺動規制部３５とロックパーツ６とで、テンプル８を展開した状態でレンズ３の左右方向外方Ｙ側への移動を規制するように該レンズ３をロックし且つテンプル８を展開状態から折畳み方向に揺動させることにより前記ロックを解除可能としたロック手段３６が構成されている。
なお、前記揺動規制部３５は、本実施形態に限定されることはなく、ロックパーツ６がレンズ３に係合し且つテンプル９を展開した状態でロックパーツ６に接当することにより、該ロックパーツ６の左右方向外方Ｙ側への揺動を規制する部分であればよい。
【００３０】
ロックパーツ６は、図７、図８、図１０に示すように、ロック本体３７と、ヨロイ部７の枢支部１７に枢支連結される被枢支部３８と、ヨロイ部７の係止部１８に係止される被係止部３９とを樹脂で一体形成してなる。
ロック本体３７は、ヨロイ部７及びテンプル本体１９前部の左右方向外方Ｙ側に配置されている。このロック本体３７はレンズ３に係合する状態において、後部が前後方向に沿うように形成されると共に前部がレンズ３に向けて屈曲状とされている。
【００３１】
このロック本体３７の前面側にはレンズ３の左右方向外端側に係合する係合部４０が形成されている。この係合部４０はレンズ３の前面側に対向する（接当する）面４０ａと、レンズ３の外周面に対向する（接当する）面４０ｂとから段付き状に形成されている。
ロック本体３７の後部の左右方向内側面４１（これを後部内側面という）は、平坦状に形成されていて前記第１、第２の当り面２７，２８に接当する接当面とされている。また、ロック本体３７の後面３７ａは前記第３、第４の当り面２９，３０に接当する接当面とされている。
【００３２】
ロックパーツ６の被枢支部３８はロック本体３７の後部内側面４１から左右方向内方Ｘ側に突出状に形成されており、この被枢支部３８に挿通孔４３が上下方向貫通状に形成されている。
図６、図７に示すように、このロックパーツ６の被枢支部３８はテンプル本体１９の上下の被枢支部２２間に挿入され、テンプル本体１９の上下の被枢支部２２はヨロイ部７の上下の枢支部１７間に挿入されている。これら被枢支部２２，３８は、下側の枢支部１７を貫通すると共に各被枢支部２２，３８に形成された挿通孔２３，４３を挿通し且つ上側の枢支部１７に形成されたネジ孔にねじ込まれる取付ネジ４４（枢軸）によって枢支部１７に上下方向の軸心回り同心状に枢支連結されている。
【００３３】
図７に示すように、前記被係止部３９はロック本体３７の左右方向内側面で且つ係合部４０と被枢支部３８との間の被枢支部３８寄りに設けられ、左右方向内方Ｘ側に向けて突出状として形成されている。
前記構成のサングラス１にあっては、図７に示すように、ロックパーツ６の係合部４０がリム４に嵌め込まれたレンズ３の左右方向外端側に係合した状態で被係止部３９が係止部１８に係止され、この被係止部３９が係止部１８に係止されることによりロックパーツ６の左右方向外方Ｙ側への揺動が規制されている。
【００３４】
ロックパーツ６のこの位置が、係合部４０がレンズ３の左右方向外端側に係合してレンズ３の左右方向外方Ｙ側への移動を規制する規制位置である。
また、テンプル８はヨロイ部７から後方に延びる展開状態で、展開規制部２４がヨロイ部７の上下支持ブラケット１５の後面１５ａに接当していて、該テンプル８の展開状態から左右方向外方Ｙ側への揺動が規制されている。
【００３５】
また、このテンプル８を展開した状態で、ロック本体３７の後部内側面４１にテンプル８の第１、第２の当り面２７，２８が接当し且つロック本体３７の後面３７ａにテンプル８の第３、第４の当り面２９，３０が接当していて（すなわち、揺動規制部３５がロックパーツ６に接当していて）、テンプル８がロックパーツ６の左右方向外方Ｙ側への揺動を阻止している。このテンプル８を展開した状態でサングラス１は使用者の顔にかけられる。
【００３６】
したがって、サングラス１の使用中はテンプル８が展開状態から左右方向内方Ｘ側（折畳み方向）に揺動することはなく、ロックパーツ６はレンズ３の左右方向外端側から外れることがなく、リム４からレンズ３が容易に外れることはない（リム４にレンズ３を嵌め込んだ状態で該レンズ３を確実にロックしておくことができる）。
また、図８に示すように、テンプル８を展開状態から折畳み方向へ揺動させると、ロック本体３７の後部内側面４１からテンプル８の第１、第２の当り面２８が離反すると共にロック本体３７の後面３７ａからテンプル８の第３、第４の当り面が離反し（すなわち、揺動規制部３５がロックパーツ６から離反し）、ロックパーツ６の左右方向外方Ｙ側への揺動が許容される。
【００３７】
そして、テンプル８を折畳み方向へ揺動させた状態で、ロックパーツ６を強制的に左右外方Ｙ側に揺動させると、被係止部３９等が弾性変形することによって該被係止部３９が係止部１８から外れる。また、逆に、被係止部３９が係止部１８から外れた状態からロックパーツ６を左右方向内方Ｘ側に揺動させて押圧すると、被係止部３９等が弾性変形することによって該被係止部３９が係止部１８に係合する。
【００３８】
また、ロックパーツ６は、図８に示すテンプル８を折畳んだ状態で、フレーム２の左右方向外方Ｙ側から、さらに後方側に揺動可能とされ、図８に仮想線で示す退避位置へと位置変更可能とされる。
このロックパーツ６を退避位置にした状態では、レンズ３をリム４に嵌め込まれた状態から左右方向外方Ｙ側に移動させてもロックパーツ６にレンズ３が干渉することがなく、レンズ３をリム４から抜脱することができる。また、逆にレンズ３をリム４に挿入することができる。
【００３９】
本実施形態のサングラス１にあっては、前記ロックパーツ６によってレンズ３の左右方向外方Ｙ側への移動（レンズ３のリム４からの抜け方向）の規制を行っているので、リム４にはレンズ３を保持するための適度な保持力をもたせるだけでよく、また、従来のサングラス１のようにリム４のレンズ溝１４に突起がないので、リム４に対するレンズ３の挿脱が容易に行える。
【００４０】
また、前記ロックパーツ６をテンプル８と一体形成すると、テンプル８を折畳み状態としたときにロックパーツ６がヨロイ部７から左右方向外方Ｙに突出状となるが、本実施形態では、ロックパーツ６をテンプル８とは別体で形成しているので、テンプル８を折り畳んでもロックパーツ６は連れもって揺動することはなく、ロックパーツ６がヨロイ部７に略沿った状態にしておくことができる。
【００４１】
また、ロックパーツ６の被係止部３９をヨロイ部７の係止部１８に係止させることにより、ロックパーツ６は規制位置で位置が保持されるので、テンプル８を折り畳んだときにロックパーツ６がぶらぶらすることがない。
また、フレーム２のヨロイ部７にテンプル８とロックパーツ６とを同心状に枢支することにより、フレーム２の構造の簡素化が図られている。
【符号の説明】
【００４２】
２    フレーム
３    レンズ
４    リム
６    ロックパーツ
７    ヨロイ部
８    テンプル
１８    係止部
３５    揺動規制部
３６    ロック手段
３９    被係止部
４０    係合部
Ｘ    左右方向内方
Ｙ    左右方向外方
【図１】
2013097219.tif 000003
【図２】
2013097219.tif 000004
【図３】
2013097219.tif 000005
【図４】
2013097219.tif 000006
【図５】
2013097219.tif 000007
【図６】
2013097219.tif 000008
【図７】
2013097219.tif 000009
【図８】
2013097219.tif 000010
【図９】
2013097219.tif 000011
【図１０】
2013097219.tif 000012
【図１１】
2013097219.tif 000013
【図１２】
2013097219.tif 000014